(57)【要約】  【課題】  非常停止後、ロックされた装置を容易に解除でき、迅速に昇降機を復旧できる非常停止装置を提供すること。  【解決手段】  昇降機のケージＣ内にピニオンを軸支するピニオン軸１でドラム３を回転自在に軸支する。ドラム３の外周に係合片３ａを突設する。ドラム３はクラッチ部材４を内蔵し、ピニオン軸１の異常増速により、ストッパ６が内周面へ食いこんでピニオン軸１と供回りしようとする。ドラム３に対する回り止め９は、ケージＣの枠体に支持片９ａ、係合突片９ｂを突設し、支持片９ａにリリースボルト９ｃを螺合させる。リリースボルト９ｃがドラム３の係合片３ａに当接して、非常停止時に回転しようとするドラム３を止める一方、後退させてドラム３を回転させればストッパ６とドラム３の係合を解除できる。【選択図】  図３
2006240770.tif 000002
【特許請求の範囲】
【請求項１】
壁面に設けられたピンラックと噛み合うピニオンをケージに支持するピニオン軸に回転自在に支持されるドラムと、
前記ピニオン軸の異常増速によりドラムに係合するクラッチ部材と、
このクラッチ部材の係合によりピニオン軸と共回りしようとするドラムの回転を阻止する回り止め手段とを具備する昇降機用非常停止装置であって、
前記回り止め手段には、ケージに設けられた支持片に螺合し、前記ドラム上に設けられた係合片に臨んで進退自在に支持され、係合片に係合してドラムの回転を阻止する一方、非常停止後に係合片との係合位置から後退することによりドラムの回転を許容してクラッチ部材を解除させるリリースボルトを備えていることを特徴とする昇降機用非常停止装置。
【請求項２】
前記ドラムの係合片は、抜き差し可能な固定ピンでケージに枢着され、
前記リリースボルトは、非常停止後にクラッチ部材が係合したドラムの押圧力を固定ピンに代わって受けることを特徴とする請求項１に記載の昇降機用非常停止装置。
【発明の詳細な説明】
【技術分野】
【０００１】
この発明は昇降機の非常停止装置に関するもので、特に非常停止後の装置のロックを容易に解除するものに係る。
【背景技術】
【０００２】
従来、壁面に縦方向の案内レールとピンラックを設け、ピンラックに噛み合うピニオンと駆動源を備えた昇降機があり、この非常停止装置が特許文献１に記載されている。この非常停止装置はピニオン軸に回転自在に支持されたドラムにリンク及びクラッチ用シューを内蔵し、引留板によってドラムを昇降機のケージの一部に引留め、非常時に遠心力によりリンクを介してシューがドラムの内側に係合して、ケージの下降を停止させるものである。
【特許文献１】特公昭５９−４３６４９号公報
【発明の開示】
【発明が解決しようとする課題】
【０００３】
上記従来の非常停止装置は、ドラムがケージに対して引留板により枢着されているので、装置の作動により昇降機が停止した後、ドラムとシューとが係合しているので、この係合を解いて昇降機を復旧させる必要があるが、そのために、ケージを上昇方向に移動させてピニオン軸を回転させるか、ドラムを動作前のピニオン軸と同方向に回転させなければドラムとシューとを解除できない。電源故障等により駆動装置が動作しない場合、重量のあるケージを人手で押し上げるのは容易でなく、代わりにドラムを取り外している。このとき、ドラムをケージに固定する引留板の枢着ピンにはドラムに作用する大きな押圧力が働いており、これを抜き取るのが容易でなく、昇降機の復旧作業を困難にしている。
そこで、本発明は、非常停止後、ロックされた装置を容易に解除でき、迅速に昇降機を復旧できる非常停止装置を提供することを課題している。
【課題を解決するための手段】
【０００４】
上記課題を解決するため、第１の発明においては、壁面に設けられたピンラックと噛み合うピニオンをケージに支持するピニオン軸１にドラム３を回転自在に支持させ、ピニオン軸１の異常増速によりドラム３にクラッチ部材４を係合させ、このクラッチ部材４の係合によりピニオン軸１と共回りしようとするドラム３の回転を回り止め手段により阻止する昇降機用非常停止装置を構成する。回り止め手段は、ケージＣに設けた支持片９にリリースボルト９ｃを挿通し、ドラム３上に設けられた係合片３ａに進退自在に臨ませて、係合片３ａに係合することによりクラッチ部材４が係合したドラム３の回転を阻止する一方、非常停止後に係合片３ａから後退することによりドラム３の回転を許容してクラッチ部材４を解除させる。
第２の発明においては、ドラム３の係合片３ａを抜き差し可能な固定ピンでケージＣに枢着し、非常停止後にクラッチ部材４が係合したドラム３の回転力を固定ピン１１に代わってリリースボルト９ｃが受けるように構成した。
【発明の効果】
【０００５】
本発明においては、リリースボルトにより非常停止時にドラムを回り止めする一方、非常停止後にドラムの係合片の係合位置から後退させてドラムを回転させれば、装置のロックが解除されるので、人手でケージを押し上げたり、ドラム等を取り外すなどの難作業を回避することができ、昇降機を迅速に復旧させることができるという効果を有する。また、ドラムをケージに固定ピンで係止して、ドラムを回り止めすることとしても、リリースボルトをドラム側に進めれば、非常停止後の固定ピンに作用するドラムの押圧力を固定ピンに代わってリリースボルトで受けることができ、固定ピンを容易に抜き取ることができ、その後リリースボルトを後退させてドラムを回転させれれば装置のロックを解除できる。
【発明を実施するための最良の形態】
【０００６】
本発明の実施の一形態を図について説明する。
本実施形態に係る非常停止装置が適用される昇降機は、壁面に上下にガイドレールとピンラックとが設けられおり、駆動源に接続された駆動ピニオンがピンラックに噛み合い回転駆動することによりガイドレールに沿ってケージＣが昇降するものである。図１ないし図３において、ピニオン軸１はケージＣの枠体に支持され、駆動ピニオンとは別にピンラックに噛み合う従動ピニオン２を軸支する。
【０００７】
ピニオン軸１はドラム３を回転自在に軸支する。ドラム３の外周の一部には係合片３ａが突設されている。ドラム３にはクラッチ部材４を内蔵している。クラッチ部材４はドラム３を閉塞するようにピニオン軸１に固着されたベース板５を有する。ベース板５には、軸を中心とする対称位置にピン５ａ，５ｂが植設され、これらピン５ａ，５ｂにストッパ６が夫々軸支されている。リンク７は一方のストッパ６の一端部と他方のストッパ６の他端部とを連結し、付設ばね８により、常時はストッパ６をドラム内面から引き離している。ピニオン軸１が異常増速した場合、ストッパ６は付設ばね８に抗してドラム３の内周面へ食いこみ、ピニオン軸１の回転を即時停止させようとする。
【０００８】
回り止め９は、ケージＣの枠体に相対向するように突設された支持片９ａ、係合突片９ｂと、支持片９ａに支持されるリリースボルト９ｃとを備えている。支持片９ａと係合突片９ｂは相互間に配置されたドラム３の係合片３ａの回転を規制する。リリースボルト９ｃは支持片９ａに螺合し、先端がドラム３の係合片３ａに当接して係合突片９ｂとで挟み込み、非常停止時にクラッチ部材４のストッパ６と係合することにより回転しようとするドラム３を止め、またその回転方向へ後退させればストッパ６とドラム３の係合を解除できる。
【０００９】
この昇降機用非常停止装置においては、リリースボルト９ｃが常時係合突片９ｂとの間で係合片３ａを挟み込んで回り止めしている。昇降機の平常運転時にはケージＣの降下により図１中ピニオン軸１が反時計方向に回転するがストッパ６とドラム３は係合しない。故障等の非常時にケージＣの急降下によりピニオン軸１が急回転し始めると、ストッパ６はドラム３へ食いこんで係合し、ドラム３を共回りさせようとするが、リリースボルト９ｃにより係合片３ａが回り止めされているのでドラム３の回転が阻止されケージＣが停止して事故を未然に防止する。
【００１０】
昇降機を復旧させるときには、リリースボルト９ｃを回して後退させ、ドラム３を停止前のピニオン軸１の回転方向（図３において反時計方向）に回転させれば、クラッチ部材４のストッパ６とドラム３との係合を解除することができ、ピニオン軸１がフリーになり、昇降機を再稼働することができる。従って、ピニオン軸１を逆回転させるためにケージＣを押し上げたり、ピニオン軸１を回り止めしているドラム３の取り外しなどの難作業を回避することができ、昇降機を迅速に復旧できる。
【００１１】
他の実施例を図４に示す。ドラム３は、ケージＣの枠体に固定ピン９ｄで別途固定される。固定ピン９ｄによる固定部に対してドラムの回転方向前後には支持片９ａ、係合突片９ｂが設けられている。先と同様にして非常停止装置の動作後、ピニオン軸１をフリーにするには、ドラム３にピニオン軸１の回転方向と同方向の回転力が作用して、固定ピン９ｄで受けているので、支持片９ａにリリースボルト９ｃを締め込んで係合片３ａを押し込めば、ドラム３の回転力を固定ピン９ｄに代わって受け、この固定ピン９ｄを難なく抜き取ることができる。そして、先と同様にしてリリースボルト９ｃを緩めて後退させればドラム３が回転して、クラッチ部材４のストッパ６とドラム３との係合を解除することができる。
【００１２】
なお、ピニオン軸１は従動ピニオン２に代えてピンラックに噛み合う駆動ピニオンの軸を適用してもよい。
【産業上の利用可能性】
【００１３】
この発明は壁面に沿って上下に移動する昇降機の非常停止装置に関するもので、非常停止後の装置のロック状態を解除するのに有効である。
【図面の簡単な説明】
【００１４】
【図１】本発明に係る昇降機用停止装置の正面図である。
【図２】非常停止装置の側面図である。
【図３】非常停止装置の一部を切り欠いた側面図である。
【図４】他の実施形態に係る昇降機用停止装置の側面図である。
【符号の説明】
【００１５】
１    ピニオン軸
２    ピニオン
３    ドラム
３ａ  係合片
４    クラッチ部材
６    ストッパ
７    リンク
８    付設ばね
９ａ  支持片
９ｃ  リリースボルト
９ｄ  固定ピン
Ｃ    ケージ
【図１】
2006240770.tif 000003
【図２】
2006240770.tif 000004
【図３】
2006240770.tif 000005
【図４】
2006240770.tif 000006